(57)【要約】【課題】簡単な構造でトンネル線形が急曲線となる円周トンネルを施工でき、工期やコストの低減が図れ、掘進時の姿勢制御が容易になり、補助工法を用いることなく地盤の安定性を持続・保持できる。【解決手段】曲線内周１０ａ側が曲線外周１０ｂ側よりも前後方向の長さが小さい形状で一体形成された筒状のスキンプレート２０を有するシールド機本体２が設けられ、シールド機本体２には、スキンプレート２０の長さ方向の中間に設けられた本体リング２３と、スキンプレート２０の先端に設けられ、切羽とスキンプレート２０内とを隔離する隔壁２１とが備えられ、本体リング２３には、推進ジャッキ２４が設けられ、推進ジャッキ２４の伸長ストロークが曲線内周１０ａ側が曲線外周１０ｂ側よりも短くなるように配置され、カッタの中心軸線は本体リング２３の中心軸線に対して曲線内周１０ａ側に傾斜している構成の急曲線シールド掘削機を提供する。【選択図】図４
2017137658.tif 000002
【特許請求の範囲】
【請求項１】
掘削面にカッタを備えてトンネル線形が一定の曲線を描くように掘進する円形断面の急曲線シールド掘削機であって、
曲線内周側が曲線外周側よりも前後方向の長さが小さい形状で一体形成された筒状の鋼殻を有するシールド機本体が設けられ、
該シールド機本体には、前記鋼殻の長さ方向の中間に設けられた本体リングと、前記鋼殻の先端に設けられ切羽と前記鋼殻内とを隔離する隔壁と、が備えられ、
前記本体リングには、推進ジャッキが設けられ、
該推進ジャッキの伸長ストロークが曲線内周側が曲線外周側よりも短くなるように配置され、
前記カッタの中心軸線は前記本体リングの中心軸線に対して曲線内周側に傾斜していることを特徴とする急曲線シールド掘削機。
【請求項２】
前記本体リングにおけるトンネル径方向の中心部から後方に向けて延びる旋回軸部と、
該旋回軸部の後端側に配置されトンネル周方向に回転される旋回フレームと、
該旋回フレームに支持されセグメントを組み立てるためのエレクタ装置と、
が設けられ、
前記エレクタ装置は、前記旋回フレームと前記本体リングとの間で前後方向に沿って移動可能に設けられていることを特徴とする請求項１に記載の急曲線シールド掘削機。
【請求項３】
前記推進ジャッキは、伸縮ロッドが前記本体リングから後方に向けて突出可能となるように前記本体リングの内部に収容されていることを特徴とする請求項１又は２に記載の急曲線シールド掘削機。
【請求項４】
前記鋼殻の前部には、曲線外周部においてトンネル径方向の外側に向けて突出可能なソリ装置が設けられていることを特徴とする請求項１乃至３のいずれか１項に記載の急曲線シールド掘削機。
【請求項５】
請求項１乃至４のいずれか１項に記載の急曲線シールド掘削機を用いて、先行して構築された既設トンネルの外側に前記既設トンネルのトンネル軸方向に平行な軸線を中心とする円周方向に掘削することで円周トンネルを施工する円周トンネルの施工方法であって、
前記既設トンネルの一部を拡幅して円周トンネル発進坑を施工する工程と、
前記円周トンネル発進坑において、所定の曲線からなるトンネル線形の曲線と前記鋼殻の曲線を合わせるようにして前記急曲線シールド掘削機を配置する工程と、
前記円周トンネル発進坑から前記急曲線シールド掘削機を発進し、前記既設トンネルの外側に円周方向に掘進させて前記円周トンネルを構築する工程と、
を有することを特徴とする円周トンネルの施工方法。
【発明の詳細な説明】
【技術分野】
【０００１】
本発明は、急曲線シールド掘削機、および円周トンネルの施工方法に関する。
【背景技術】
【０００２】
従来、大断面の道路トンネル等では、シールドトンネルからなる本線トンネルとランプトンネルの分岐合流部には大断面地下空間が構築されている。このような大断面地下空間の施工方法として、例えば特許文献１に示されるように、地中を掘削して大断面地下空間をなす地中空洞を施工するに際して、地中空洞の掘削予定位置の外側に、予め複数のルーフシールドトンネルを所定間隔で配列した状態で施工することにより、それらルーフシールドトンネルによって掘削予定位置を取り囲むシールドルーフ先受工を構築する方法が知られている。
【０００３】
そして、特許文献１には、本線トンネル及びランプトンネル同士の分岐合流部の外側にその輪郭に沿うようにしてルーフシールドトンネルを掘削するための外殻シールド機の発進部に地中発進坑を設ける方法について記載されている。この地中発進坑は、本線トンネル及びランプトンネルの上方及び下方の位置にほぼ直線に延在する小断面の作業用シールドトンネルを掘削し、この作業用シールドトンネルの周囲を地盤改良したうえで拡幅することにより施工されている。そして、地中発進坑から複数の外殻シールド機を順次発進させて前記分岐合流部を取り囲むシールドルーフ先受工を構築している。
【先行技術文献】
【特許文献】
【０００４】
【特許文献１】特許第４９５８０３５号公報
【発明の概要】
【発明が解決しようとする課題】
【０００５】
しかしながら、上述した特許文献１に示すような従来の大断面地下空間の施工方法では、ルーフシールド先受工を構築する際に外殻シールド機を発進させるための地中発進坑を設ける方法として、以下のような問題があった。
すなわち、地中発進坑は、小断面の作業用シールドトンネルを施工した後に、さらにその周囲を拡幅している。そのため、作業用シールドトンネルのセグメントを解体しながらそのトンネル周囲の地盤を補助工法を用いて露出し、在来工法により掘削する必要があることから、施工効率が低下して工期及び工費が増大するという問題があった。
さらに、このように地盤を露出して大空間を切り広げた施工を行う場合には、補助工法を用いることのみで地盤の安定性を確保している。しかし、補助工法のみで地盤の安定性を持続し保持することが難しい場合が多く、その点で改善の余地があった。
【０００６】
また、本線トンネル及びランプトンネルの外側に円周方向に沿って地中発進坑を設ける場合において、例えば、矩形断面の専用のシールド掘削機を使用する方法が検討されるが、特殊な構造となるため複雑な構造で製造コストがかかるうえ、矩形断面となるので掘進時の姿勢制御が難しいという問題があった。
【０００７】
本発明は、上述する問題点に鑑みてなされたもので、簡単な構造のシールド掘削機によりトンネル線形が急曲線となる円形断面の円周トンネルを施工でき、工期やコストの低減を図ることができるうえ、掘進時の姿勢制御を容易に行うことができる急曲線シールド掘削機、および円周トンネルの施工方法を提供することを目的とする。
また、本発明の他の目的は、補助工法を用いることなく、地盤の安定性を持続・保持した状態で施工できる急曲線シールド掘削機、および円周トンネルの施工方法を提供することである。
【課題を解決するための手段】
【０００８】
上記目的を達成するため、本発明に係る急曲線シールド掘削機では、掘削面にカッタを備えてトンネル線形が一定の曲線を描くように掘進する円形断面の急曲線シールド掘削機であって、曲線内周側が曲線外周側よりも前後方向の長さが小さい形状で一体形成された筒状の鋼殻を有するシールド機本体が設けられ、該シールド機本体には、前記鋼殻の長さ方向の中間に設けられた本体リングと、前記鋼殻の先端に設けられ切羽と前記鋼殻内とを隔離する隔壁と、が備えられ、前記本体リングには、推進ジャッキが設けられ、該推進ジャッキの伸長ストロークが曲線内周側が曲線外周側よりも短くなるように配置され、前記カッタの中心軸線は前記本体リングの中心軸線に対して曲線内周側に傾斜していることを特徴としている。
【０００９】
また、本発明に係る円周トンネルの施工方法は、上述した急曲線シールド掘削機を用いて、先行して構築された既設トンネルの外側に前記既設トンネルのトンネル軸方向に平行な軸線を中心とする円周方向に掘削することで円周トンネルを施工する円周トンネルの施工方法であって、前記既設トンネルの一部を拡幅して円周トンネル発進坑を施工する工程と、前記円周トンネル発進坑において、所定の曲線からなるトンネル線形の曲線と前記鋼殻の曲線を合わせるようにして前記急曲線シールド掘削機を配置する工程と、前記円周トンネル発進坑から前記急曲線シールド掘削機を発進し、前記既設トンネルの外側に円周方向に掘進させて前記円周トンネルを構築する工程と、を有することを特徴としている。
【００１０】
本発明では、トンネル線形に沿って曲線内周側が曲線外周側よりも前後方向の長さを小さくした一定の曲線形状からなる鋼殻とし、さらに曲線内周側に配置される推進ジャッキの伸長ストロークが曲線外周側の推進ジャッキよりも短くなっているので、従来のような急曲線対応の中折れ機構が不要となり、シールド掘削機全体の機長を短縮することができ、一定の曲線を描く円周トンネルを掘削することができる。そして、一定の曲線を描くトンネル線形に合わせた曲線を有する鋼殻となっているので、急曲線シールド掘削機における掘進時の旋回性を高めることができる。
このように、従来の円形断面のシールド掘削機を使用することができ、矩形断面のような複雑な構造のシールド掘削機に比べて、簡単な構造になりシールド機自体のコストの増大を抑えることができ、施工効率の低下も抑制できることから、工期や工費の低減を図ることができる。しかも、本発明の急曲線シールド掘削機は円形断面であるので、機体のローリングの影響を受け易く一般的に制御が難しい矩形断面のシール掘削機に比べて、難しい姿勢制御が不要となる利点がある。
【００１１】
さらに、本発明では、機長が短くなるので、鋼殻内で組み立てられるセグメントと切羽との距離も短縮され、早期にセグメントと地盤との間に裏込材を充填することが可能となる。したがって、円周トンネルがより早い段階で安定することになり、掘進中のシールド掘削機における姿勢制御の安定性を高めることができる。
さらにまた、本発明では、急曲線シールド掘削機を用いたシールド工法による施工となるので、在来工法により円周トンネルを掘削する場合のような補助工法を用いることなく、掘削直後のシールド機本体内でセグメントを組み立てることで掘削地盤を安定させることができ、地盤の安定性を持続・保持した状態で施工することができる。
【００１２】
また、本発明では、既設トンネルの外側に円周トンネルを施工する場合には、既設トンネルの一部を拡幅して構築された円周トンネル発進坑において、円周トンネルのトンネル線形の曲線と鋼殻の曲線を合わせるようにして急曲線シールド掘削機を配置した後に、急曲線シールド掘削機を発進させることで、円周方向に沿って延在する円周トンネルを構築することができる。
【００１３】
また、本発明に係る急曲線シールド掘削機は、前記本体リングにおけるトンネル径方向の中心部から後方に向けて延びる旋回軸部と、該旋回軸部の後端側に配置されトンネル周方向に回転される旋回フレームと、該旋回フレームに支持されセグメントを組み立てるためのエレクタ装置と、が設けられ、前記エレクタ装置は、前記旋回フレームと前記本体リングとの間で前後方向に沿って移動可能に設けられていることが好ましい。
【００１４】
本発明の急曲線シールド掘削機によれば、エレクタ装置を旋回させるための旋回フレームがエレクタ装置よりも後方に配置されているため、エレクタ装置を本体リングに近づけることが可能となり、エレクタ装置によるセグメントの組立位置と掘進機先端までの距離を短縮することができる。これにより、急曲線シールド掘削機の機長をさらに短くすることができ、前述したようにシールド掘削機の旋回性や姿勢制御の安定性をより高めることができる。
【００１５】
また、本発明に係る急曲線シールド掘削機は、前記推進ジャッキは、伸縮ロッドが前記本体リングから後方に向けて突出可能となるように前記本体リングの内部に収容されていることが好ましい。
【００１６】
この場合には、本体リングの直後にセグメントを組み立てることが可能となり、急曲線シールド掘削機の機長をさらに短くすることができる。これにより、前述したようにシールド掘削機の旋回性や姿勢制御の安定性をより高めることができる。
【００１７】
また、本発明に係る急曲線シールド掘削機は、前記鋼殻の前部には、曲線外周部においてトンネル径方向の外側に向けて突出可能なソリ装置が設けられていることが好ましい。
【００１８】
この場合には、ソリ装置を曲線外周側におけるトンネル径方向の外側に向けて突出させた状態で急曲線シールド掘削機を掘進させることで、急曲線シールド掘削機が曲線外周側に向かう力を押えて掘進中の姿勢を安定させることができ、姿勢制御がし易くなる。
【発明の効果】
【００１９】
本発明の急曲線シールド掘削機、および円周トンネルの施工方法によれば、簡単な構造のシールド掘削機によりトンネル線形が急曲線となる円形断面の円周トンネルを施工でき、工期やコストの低減を図ることができるうえ、掘進時の姿勢制御を容易に行うことができる。
また、本発明では、補助工法を用いることなく、地盤の安定性を持続・保持した状態で施工できる効果を奏する。
【図面の簡単な説明】
【００２０】
【図１】本発明の実施の形態による大断面トンネルの施工状態を示す斜視図である。
【図２】急曲線シールド掘削機を使用して円周トンネルを施工する状態を示す斜視図であって、円周トンネルの一部を破断した図である。
【図３】円周トンネルの施工状態を示した図であって、本線トンネルのトンネル軸線方向から見た断面図である。
【図４】急曲線シールド掘削機の構成を示す側面図である。
【図５】図４に示す急曲線シールド掘削機を後方から見た図であって、エレクタ装置の構成を示す正面図である。
【図６】セグメント搬送システムの構成を示す図であって、前後方向の一方から見た正面図である。
【図７】図６に示すＡ−Ａ線断面図である。
【図８】セグメント搬送供給装置のチェーンコンベヤの構成を示す図であって、トンネル周方向から見た側断面図である。
【図９】円周トンネル発進坑の施工状態を上方から見た平面図である。
【図１０】エレクタ装置にセグメント搬送供給装置のセグメントを供給する状態を示す側面図であって、急曲線シールド掘削機の掘進方向を図４の掘進方向と反対方向に向けた図である。
【図１１】図１０に示すセグメントの供給状態を後方から見た正面図であって、図５に対応する図である。
【発明を実施するための形態】
【００２１】
以下、本発明の実施の形態による急曲線シールド掘削機、および円周トンネルの施工方法について、図面に基づいて説明する。
【００２２】
図１に示すように、本実施の形態による急曲線シールド掘削機は、例えば大断面の道路トンネルにおいて、地中に施工される本線トンネル１１（既設トンネル）に対してランプトンネル１２（既設トンネル）が合流、分岐する箇所に地中拡幅部を構築する施工に適用されている。
地中拡幅部は、予め施工された本線トンネル１１及びランプトンネル１２の外側に複数の外殻トンネル１３を施工し、それら外殻トンネル１３によって構成される外殻部を構築し、本線トンネル１１及びランプトンネル１２を取り囲む外殻部の内側を掘削することにより構築される。外殻トンネル１３は、外殻シールド機１４を掘進させることにより施工される。なお、本実施の形態では、本線トンネル１１及びランプトンネル１２は、周知のシールド工法により施工されている。
【００２３】
外殻シールド機１４は、本線トンネル１１及びランプトンネル１２の外側に、本線トンネル１１のトンネル軸方向Ｘに平行な軸線を中心とする円周方向Ｅに沿ってリング状に形成される地中発進坑１５から掘進される。
【００２４】
地中発進坑１５は、２本の円周トンネル１０（１０Ａ、１０Ｂ）と、これら円周トンネル１０Ａ、１０Ｂ同士をトンネル軸方向Ｘに接続する複数の連絡坑１０２と、により構成されている。なお、円周トンネル１０の径寸法は、外殻シールド機１４が発進可能な寸法に設定されている。また、地中発進坑１５のうち外殻シールド機１４の発進部分の壁面１５１（切羽）は、円周トンネル１０の施工時にはセグメント１０３により外壁が形成されているが、適宜なタイミングで一般的なシールド工法と同様に切削カッタで切削可能な例えば炭素繊維入りコンクリート等の材料により施工しておく。なお、カッタで切削可能な材料からなる壁面１５１が組み込まれているセグメント１０３を使用することも可能である。
【００２５】
急曲線シールド掘削機１は、図２及び図３に示すように、外殻シールド機１４を発進させる地中発進坑１５をなす円周トンネル１０を掘削する際に使用され、掘削面にカッタを備えてトンネル線形が一定の曲線を描くように掘進するためのものである。そして、急曲線シールド掘削機１の後方には、筒状に組み立てられるセグメント１０３がトンネル掘進方向に連結され、円周トンネル１０が順次延長されて構築される。
また、図４は、急曲線シールド掘削機１の詳細な構成を示しており、急曲線シールド掘削機１及び円周トンネル１０における曲線内周１０ａを図４の紙面下側、曲線外周１０ｂを紙面上側にした側面図である。
【００２６】
図４に示すように、急曲線シールド掘削機１は、外殻を形成する円筒状のスキンプレート２０（鋼殻）を有するシールド機本体２と、シールド機本体２の前側に設けられ複数のカッタビットを有するカッタヘッド３と、を備えている。
なお、とくに図示しないが、本実施の形態の急曲線シールド掘削機１には、排泥管等の排土機構や、カッタヘッド３内のチャンバーに泥水を注入する泥水機構等が適宜な位置に配設されている。
【００２７】
ここで、円周トンネル１０（１０Ａ、１０Ｂ）の断面中心を通る中心軸線をトンネル中心軸Ｏといい、カッタヘッド３の中心を通る中心軸線を第１中心軸Ｏ１といい、シールド機本体２の中心を通る中心軸線を第２中心軸Ｏ２といい、第１中心軸Ｏ１と第２中心軸Ｏ２とは所定の傾斜角で交差している。トンネル中心軸Ｏに沿う方向を前後方向Ｌ（図７、図８参照）といい、前後方向Ｌに沿って、切羽側を前側、前方といい、その反対側（発進側）を後側、後方という。また、前後方向Ｌ方向から見た平面視において、前後方向Ｌに直交する方向をトンネル径方向といい、前後方向Ｌ回りに周回する方向をトンネル周方向Ｆという。なお、本実施の形態では、円周方向Ｅと前後方向Ｌとは一致しており、以下の説明に応じて適宜使い分けている。
【００２８】
シールド機本体２は、筒状の前記スキンプレート２０と、スキンプレート２０の前方に設けられる隔壁２１と、隔壁２１に設けられるカッタリング２２と、スキンプレート２０の長さ方向の中間に設けられ隔壁２１の後方に配置されるリング状の本体リング２３と、本体リング２３にトンネル周方向Ｆに間隔をあけて設けられる複数の推進ジャッキ２４と、本体リング２３のトンネル径方向の中心部に旋回軸部２７（後述）を介して設けられるエレクタ装置２５と、を備えている。
【００２９】
スキンプレート２０は、カッタヘッド３と略同径をなす筒状体であって、前部２０Ａが後部２０Ｂに対して所定の傾斜角で屈折され、曲線内周１０ａ側が曲線外周１０ｂ側よりも前後方向の長さが小さい形状で一体形成されている。スキンプレート２０の内側には、エレクタ装置２５によってセグメント１０３がリング状に組み立てられることになる。スキンプレート２０の後部内周側には、組み立てられたセグメント１０３の外周面との間隙Ｓをシールするワイヤブラシからなるテールシール２０ａが全周にわたって取り付けられている。ここでは、テールシール２０ａは、スキンプレート２０の長さ方向（前後方向）に３段で配設されている。
なお、本実施の形態の急曲線シールド掘削機１では、曲線外周１０ｂの間隙Ｓが曲線内周１０ａよりも大きい寸法になる。そのため、テールシール２０ａのブラシ長は、少なくとも曲線外周１０ｂ側の間隙に対応する寸法に設定されている。
【００３０】
隔壁２１は、切羽の水や土砂がシールド機本体２の内側（スキンプレート２０の内側）に流入しないように切羽側とシールド機内側を隔離する区画壁を形成している。この隔壁２１は、トンネル径方向の外周側にリング状に形成された外周隔壁２１Ａと、外周隔壁２１Ａのトンネル径方向の内側にカッタリング２２を挟んで円盤状に形成された内周隔壁２１Ｂと、から構成されている。外周隔壁２１Ａと内周隔壁２１Ｂは、それぞれ第１中心軸Ｏ１において同軸に設けられている。
外周隔壁２１Ａは、その外周面の位置において、曲線外周１０ｂ側の前後方向の長さが曲線内周１０ａ側よりも長くなるように形成されている。内周隔壁２１Ｂのトンネル径方向の中心には、カッタヘッド３のセンターカッタ３１が固定されている。
【００３１】
カッタリング２２は、内周隔壁２１Ｂの外周後端部２１ｂに、内周隔壁２１Ｂと同軸に配置されるとともに環状に形成されている。カッタリング２２は、外周面に形成されたリングギアが外周隔壁２１Ａの内周部２１ａにトンネル周方向Ｆに間隔をあけて配置されている複数のカッタ駆動モータ２６のそれぞれの回転軸２６ａに噛合して回転可能に設けられている。
【００３２】
外周隔壁２１Ａにおける曲線外周１０ｂの部分には、トンネル径方向の外側に向けて突出可能な可動ソリ２１１（ソリ装置）が設けられている。可動ソリ２１１は、突出端面２１１ａが前方から後方に向かうに従い漸次、トンネル径方向の外側に突出する傾斜面に形成されている。この可動ソリ２１１は、突出端面２１１ａを突出させて掘削した地山に押し付けた状態で急曲線シールド掘削機１を掘進させることで、その急曲線シールド掘削機１が曲線の外側に向かおうとする力の反力を地山に取りながら掘進することができる。
【００３３】
カッタヘッド３の第１中心軸Ｏ１は、本体リング２３の第２中心軸Ｏ２に対して曲線内周１０ａ側に向けて傾斜している。カッタヘッド３は、回転中心となるセンターカッタ３１と、センターカッタ３１からトンネル径方向に放射状に延びてトンネル周方向Ｆに間隔をあけて配置される複数のスポーク３２と、を備えている。センターカッタ３１の前面にはカッタビットが設けられ、スポーク３２の前面には長さ方向に沿って多数のカッタビットが取り付けられている。複数のスポーク３２のうち一部には、スポーク先端から径方向に向けて出没可能なコピーカッタ３３が装備されている。コピーカッタ３３は、曲線外周１０ｂにおいてカッタ径方向に所定の突出量だけ張り出して、急曲線シールド掘削機１の外径より大きく掘削する際に使用される。
そして、センターカッタ３１の後端には、カッタリング２２に支持されたロータリージョイント３４が設けられている。
【００３４】
本体リング２３に対してトンネル周方向Ｆに複数配置される推進ジャッキ２４は、伸縮ロッドが本体リング２３より後方に向けて突出可能となるように、この本体リング２３に固定されている。つまり、推進ジャッキ２４の基端部は、本体リング２３と隔壁２１との間のチャンバーコーン内部空間側に配置された状態で本体リング２３に格納されている。
そして、推進ジャッキ２４は、伸長ストロークが曲線内周１０ａ側が曲線外周１０ｂ側よりも短くなるように設定されている。推進ジャッキ２４の伸縮ロッドを伸張させることで、スキンプレート２０の内側に順次組み立てられていくセグメント１０３を押圧して推進力を得て急曲線シールド掘削機１を掘進させることができる。
【００３５】
また、図４及び図５に示すように、本体リング２３には、トンネル径方向の中心部に後方に向けて延びる旋回軸部２７と、旋回軸部２７の後端側に配置されトンネル周方向Ｆに回転される旋回フレーム２８と、が設けられている。そして、エレクタ装置２５は、旋回フレーム２８に支持されている。
【００３６】
旋回軸部２７は、円筒状に形成され、その円筒軸が第２中心軸Ｏ２に一致している。旋回軸部２７の後端側の外周面にはトンネル周方向Ｆに間隔をあけて複数のガイドローラ２７１が取り付けられている。これらガイドローラ２７１は、回転中心を第２中心軸Ｏ２に向けて配設されている。
【００３７】
旋回フレーム２８は、リング状に形成され、内周側で旋回軸部２７の複数のガイドローラ２７１、２７１、…の回転により旋回軸部２７と同軸に回転するように構成されている。旋回フレーム２８の前側には、連結部材２８１を介して第２中心軸Ｏ２で前後にスライド自在なエレクタ装置２５が支持されている。
【００３８】
エレクタ装置２５は、把持装置２５１と、把持装置２５１を支持するエレクタ本体２５２と、エレクタ本体２５２の左右両側に配置され連結部材２８１に摺動自在に支持された上下ロッド２５３と、連結部材２８１に固定され伸縮先端２５４ａをエレクタ本体２５２に固定させた上下シリンダ２５４と、旋回フレーム２８に固定され把持装置２５１をエレクタ本体２５２とともに前後方向にスライドさせるスライドジャッキ２５５（図１０参照）と、を備えている。そしてエレクタ装置２５は、旋回フレーム２８よりも前方に位置し、前後方向で本体リング２３に近接する位置に配置されている。
上下ロッド２５３は、上下シリンダ２５４の伸縮に連動して連結部材２８１に対して上下方向に摺動される。
【００３９】
把持装置２５１は、把持部２５１ａを有し、この把持部２５１ａによって図６に示すセグメント搬送供給装置４から供給されるセグメント１０３に設けられる被把持部（図示省略）を着脱自在に把持することが可能な構成となっている。把持部２５１ａは、例えば上述したセグメント１０３の被把持部に着脱可能に係止することにより、セグメント１０３を把持できるようになっている。
【００４０】
図６及び図７に示すように、セグメント搬送供給装置４は、複数のセグメントピースを積載させた状態で円周トンネル１０の発進側から当該円周トンネル１０内の軌道（後述するガイドレール４２）を走行して、上述した急曲線シールド掘削機１のエレクタ装置２５に１ピースずつ供給するいわゆる搬送台車である。セグメント搬送供給装置４は、エレクタ装置２５とトンネル内周面との間（図１０に示す供給位置Ｐ２）に積載したセグメント１０３を進入させることを可能にしている。
そして、セグメント搬送供給装置４は、円周トンネル１０の内側でセグメント１０３を搬送するためのセグメント搬送システム４０として構成されている。また、セグメント搬送供給装置４は、円周トンネル１０の曲線内周１０ａ側及び曲線外周１０ｂ側の両方に走行可能に設けられている。なお、後述する図１０では、曲線外周１０ｂ側で搬送されるセグメント搬送供給装置４を示している。
【００４１】
セグメント搬送システム４０は、セグメント搬送供給装置４と、円周トンネル１０の曲線内周１０ａ側及び曲線外周１０ｂ側における内面にトンネル周方向Ｆに沿って配設されるラック４１と、円周トンネル１０の曲線内周１０ａ側及び曲線外周１０ｂ側においてラック４１に平行に配設されるガイドレール４２と、を備えている。
ラック４１はトンネル周方向Ｆに間隔をあけて一対で設けられ、ガイドレール４２はトンネル周方向Ｆでラック４１を挟んだ両側に配置されている。そして、ガイドレール４２は、レール頭部４２ａにトンネル周方向Ｆの両側に向けて張り出すフランジ部４２ｂを有している。
【００４２】
セグメント搬送供給装置４は、台車本体４３と、台車本体４３に設けられラック４１に噛合して回転駆動されるピニオン４４と、台車本体４３に設けられガイドレール４２に沿って離脱不能な状態で案内される車輪部４５と、台車本体４３上で、台車本体４３の走行方向に移動可能に設けられ、セグメント１０３を離脱不能な状態で積載させることが可能なチェーンコンベヤ４６（移送コンベヤ）と、を備えている。台車本体４３は、複数（ここでは４ピース）のセグメント１０３をチェーンコンベヤ４６上に積載させることができ、積載されるセグメント１０３の曲面方向がトンネル周方向Ｆに一致する向きに配置されている。
【００４３】
ピニオン４４は、走行モータ４４１によって駆動される。車輪部４５は、ガイドレール４２のレール頭部４２ａ上を転動する第１ローラ４５１と、左右両側のフランジ部４２ｂのそれぞれの突出端面に接触して転動する第２ローラ４５２と、左右両側のフランジ部４２ｂのそれぞれの裏面に接触して転動する第３ローラ４５３と、を備え、これらローラ４５１、４５２、４５３によってガイドレール４２に対する脱落を防止できるように、走行可能に挟持している。これにより、案内ガイドレール４２に沿って走行するセグメント搬送供給装置４がトンネル周方向Ｆに走行してもガイドレール４２からの脱落が防止される。
【００４４】
チェーンコンベヤ４６は、図８に示すように、幅方向（トンネル周方向Ｆ）の両端のそれぞれに近い部分に設けられ、台車本体４３の前後方向Ｌに配設されるスプロケット４６１、４６１に巻き回されて周回可能に設けられている。なお、図８では、セグメント１０３の積載側のみが記載されている。チェーンコンベヤ４６の積載面４６ａには、前後方向Ｌに所定間隔をあけて突出する送出し凸部４６２が設けられている。この送出し凸部４６２は、チェーンコンベヤ４６上に積載されるセグメント１０３を送り出し方向の後端側から押し出す機能を有している。ここで、前後方向Ｌに隣り合う送出し凸部４６２同士の間隔としては、例えば使用するセグメント１０３のうち最大幅寸法のものを当該間隔の部分に積載することが可能な寸法に設定される。
【００４５】
台車本体４３の積載側の上面には、図６に示すように、一対のチェーンコンベヤ４６、４６同士の間において、セグメント１０３を送り出すように回転するローラーコンベヤ４７が設けられている。
また、台車本体４３の下面には、組み立てられたセグメント１０３の内周面に対して着脱可能なクランプ４８が設けられている。このクランプ４８をセグメント１０３の内周面に固定した状態とすることで、セグメント搬送供給装置４がトンネル周方向Ｆの所定位置に保持される。
【００４６】
次に、上述した急曲線シールド掘削機１とセグメント搬送供給装置４とを用いて円周トンネル１０を施工する方法について、図面に基づいて説明する。ここでは、２本の円周トンネル１０Ａ、１０Ｂを平行にかつ互いに間隔をあけて施工し、両円周トンネル１０Ａ、１０Ｂ同士を複数の連絡坑によって連通させる施工について説明する。
【００４７】
先ず、図１に示すように、ランプトンネル１２の一部に円周トンネル１０の発進基地（以下、「円周トンネル発進坑１０１」という）を設ける。そして、図９に示すように、円周トンネル発進坑１０１を施工するにあたって、この円周トンネル発進坑１０１の施工領域の周囲の地盤を凍結工法で凍結して地盤改良を行って凍土壁１００を形成する。このときの凍結工法は、ランプトンネル１２からこのランプトンネル１２の径方向の外側に向けて推進工法により円形断面の掘削機（以下、推進機１６という）を掘進させ、その際にその推進機１６から複数の凍結管１０４を放射状に配設して凍土壁１００を設ける。その後、この凍土壁１００の内側の地盤を在来工法により掘削することで略長方箱型の領域を有する円周トンネル発進坑１０１を構築する。このとき、掘削とともに推進機１６を撤去する。ここで、円周トンネル発進坑１０１の大きさは、図１及び図２に示すように、２本の円周トンネル１０Ａ、１０Ｂのそれぞれを掘進する２基の急曲線シールド掘削機１、１が所定の離間をあけて配置可能な大きさに設定されている。
【００４８】
なお、推進機１６から施工される地盤改良は、上述した凍結工法に限定されるものではなく、例えば推進機１６の後方から目的の改良領域に向けて注入管を打設し、薬液を注入することによる薬液注入工等、他の地盤改良を採用することも可能である。
【００４９】
次に、円周トンネル発進坑１０１内において、急曲線シールド掘削機１を組み立てるとともに、反力受けや掘進に必要な後続設備なども設置して発進の準備を行う。このとき急曲線シールド掘削機１は、図１０に示すカッタヘッド３の第１中心軸Ｏ１が円周トンネル１０の中心軸線Ｏに一致するように設置される。
【００５０】
次いで、図１、図２及び図１０に示すように、急曲線シールド掘削機１を発進させ、従来のシールド工法と同様に掘削とともにセグメント１０３を組み立て、そのセグメント１０３と地山との間に裏込め材を注入する作業を順次、繰り返し、本線トンネル１１及びランプトンネル１２の外側を円周方向Ｅに掘進させて再び円周トンネル発進坑１０１に到達させることで円周トンネル１０を構築することができる。このようにして、１本目の円周トンネル１０Ａが設けられ、この施工された円周トンネル１０Ａに沿うようにして同様の手順により２本目の円周トンネル１０Ｂを施工する。
そして、２本の円周トンネル１０Ａ、１０Ｂ同士の間を凍結工法や薬液注入工法等により地盤改良を行った後、両円周トンネル１０Ａ、１０Ｂ同士の間を掘削した連絡坑１０２によって接続する。連絡坑１０２は、外殻シールド機１４の発進位置に対応して設けられ、円周方向Ｅに間隔をあけて複数配設されている。
【００５１】
急曲線シールド掘削機１による掘進は、図１０に示すように、推進ジャッキ２４が曲線内周１０ａと曲線外周１０ｂとで伸縮ストロークがトンネル線形に合わせて異なり、曲線外周１０ｂ側が曲線内周１０ａ側よりも長いストロークとなるので、トンネル線形に合わせて二つ折りに屈曲させたスキンプレート２０が掘削した地山に接することなく推進させることができる。
さらに、隔壁２１の外周部に設けられる可動ソリ２１１をトンネル径方向の外側に向けて突出させた状態で掘進することで、シールド機本体２が曲線外周１０ｂ側に向かおうとする力を抑制することができ、方向を制御しやすくなる。なお、このときの可動ソリ２１１の突出量は、掘進中の地山の硬さ、地質等の状態や、シールド機本体２の位置、向き等に応じてリアルタイムに変更されることが好ましい。
【００５２】
ここで、急曲線シールド掘削機１のエレクタ装置２５において、セグメント１０３を供給して組み立てる方法について具体的に説明する。
本施工では、急曲線シールド掘削機１の掘進に伴って、組み立てたセグメント１０３の内面にラック４１及びガイドレール４２が延長される。図６及び図１１に示すように、掘進中において、円周トンネル発進坑１０１でセグメント搬送供給装置４のチェーンコンベヤ４６上に４ピースのセグメント１０３を積載し、それらセグメント１０３を落下防止装置４９で固定する。そして、走行モータ４４１を駆動させることでピニオン４４を回転させて、セグメント搬送供給装置４をラック４１及びガイドレール４２の切羽側の先端部まで走行させて停止させる。このときエレクタ装置２５の下方の位置に、セグメント搬送供給装置４が進入した状態となる。そして、図１０に示すスライドジャッキ２５５の駆動によって把持装置２５１を後退させて、把持部２５１ａが最前部（供給位置Ｐ２）に積載されるセグメント１０３の直上の位置に移動させる。
【００５３】
その後、上下シリンダ２５４を伸張させて把持部２５１ａを下降させてセグメント１０３の被把持部（図示省略）を係止することでセグメント１０３を把持する。このように把持部２５１ａによるセグメント１０３の把持が完了した時点で、このセグメント１０３における落下防止装置４９による固定を解除し、上下シリンダ２５４を収縮することでセグメント１０３を台車本体４３から引き上げることで、セグメント１０３がセグメント搬送供給装置４から把持装置２５１に供給されることになる。そして、セグメント搬送供給装置４は、一端、後退させてから、エレクタ装置２５を旋回軸部２７回りに旋回し、エレクタ装置２５の各部（上下シリンダ２５４、スライドジャッキ２５５等）を駆動することで、セグメント１０３を適宜な組み立て位置へ位置決めして組み立てる。
なお、この組立作業中に、セグメント搬送供給装置４では、台車本体４３上に積載されている３つのセグメントをチェーンコンベヤ４６を移動させることで前方に移動させておく。
【００５４】
続いて、把持部２５１ａを組み立てたセグメント１０３から取り外し、把持装置２５１を所定の把持位置Ｐ１に移動させた後、再び、セグメント搬送供給装置４を把持部２５１ａの直下の位置に移動させて、台車本体４３上の供給位置Ｐ２に積載されるセグメント１０３を把持部２５１ａで把持してエレクタ装置２５に供給することができる。そして、そのセグメント１０３を上述と同様の手順により組み立てることができる。
【００５５】
次に、図１及び図２に示すように、施工した円周トンネル１０を地中発進坑１５として、複数の外殻シールド機１４を円周方向Ｅに沿って所定の間隔で配置し、個別あるいは複数同時に掘進させることで複数の外殻トンネル１３を施工する。なお、地中発進坑１５は、２本の円周トンネル１０Ａ、１０Ｂのうち連絡坑１０２に対して直線状に連通される空間となる。複数の外殻シールド機１４を発進させることにより、複数の外殻トンネル１３を施工し、本線トンネル１１及びランプトンネル１２の周囲に複数の外殻トンネル１３からなる外殻体を構築する。そして、掘削土砂は地中発進坑１５を介してランプトンネル１２内に送り込まれて外部へ搬出し、掘進に必要なセグメント等の資材類はランプトンネル１２内から地中発進坑１５を介して外殻トンネル１３内に搬入される。
【００５６】
その後、円周方向Ｅに隣り合う外殻トンネル１３、１３同士の間を、凍結工法、薬液注入工法等により地盤改良を行った後、切開き構造体として接続することにより一体化を図り、これにより支保機能、及び止水機能を有する外殻体を形成する。なお、外殻シールド機１４は、外殻トンネル１３を掘進し、分岐拡幅部の褄壁予定地点に到達させて解体、回収し、再び地中発進坑１５で組み立てて発進させ、別の外殻トンネルを施工するように繰り返し使用するようにしても良い。
【００５７】
なお、本実施の形態では急曲線シールド掘削機１の直径が例えば８．４ｍ程度、外殻シールド機１４の外径が４．１５ｍ程度とされ、さらに２本の円周トンネル１０Ａ、１０Ｂに共通する発進部となる円周トンネル発進坑１０１の大きさとして幅（トンネル軸方向Ｘの長さ）が２１ｍ程度、奥行きが１１．５ｍ程度、高さが９ｍ程度とされる。
【００５８】
次に、上述した急曲線シールド掘削機、および円周トンネルの施工方法の作用について、図面に基づいて詳細に説明する。
図２に示すように、本実施の形態では、トンネル線形に沿って曲線内周１０ａ側が曲線外周１０ｂ側よりも前後方向の長さを小さくした一定の曲線形状からなるスキンプレート２０とし、さらに曲線内周１０ａ側に配置される推進ジャッキ２４の伸長ストロークが曲線外周１０ｂ側の推進ジャッキ２４よりも短くなっているので、従来のような急曲線対応の中折れ機構が不要となり、シールド掘削機全体の機長を短縮することができ、一定の曲線を描く円周トンネル１０を掘削することができる。そして、一定の曲線を描くトンネル線形に合わせた曲線を有するスキンプレート２０となっているので、急曲線シールド掘削機１における掘進時の旋回性を高めることができる。
このように、従来の円形断面のシールド掘削機を使用することができ、矩形断面のような複雑な構造のシールド掘削機に比べて、簡単な構造になりシールド機自体のコストの増大を抑えることができ、施工効率の低下も抑制できることから、工期や工費の低減を図ることができる。
しかも、急曲線シールド掘削機１は円形断面であるので、機体のローリングの影響を受け易く一般的に制御が難しい矩形断面のシール掘削機に比べて、難しい姿勢制御が不要となる利点がある。
【００５９】
さらに、本実施の形態では、機長が短くなるので、スキンプレート２０内で組み立てられるセグメント１０３と切羽との距離も短縮され、早期にセグメント１０３と地山との間に裏込材を充填することが可能となる。したがって、円周トンネル１０がより早い段階で安定することになり、掘進中の急曲線シールド掘削機１における姿勢制御の安定性を高めることができる。
さらにまた、本実施の形態では、急曲線シールド掘削機１を用いたシールド工法による施工となるので、在来工法により円周トンネルを掘削する場合のような補助工法を用いることなく、掘削直後のシールド機本体２内でセグメント１０３を組み立てることで掘削地盤を安定させることができ、地盤の安定性を持続・保持した状態で施工することができる。
【００６０】
また、本実施の形態のように本線トンネル１１及びランプトンネル１２の外側に円周トンネル１０を施工する場合には、ランプトンネル１２の一部を拡幅して構築された円周トンネル発進坑１０１において、円周トンネル１０のトンネル線形の曲線とスキンプレート２０の曲線を合わせるようにして急曲線シールド掘削機１を配置した後に、急曲線シールド掘削機１を発進させることで、円周方向Ｅに沿って延在する円周トンネル１０を構築することができる。
【００６１】
さらに、本実施の形態では、エレクタ装置２５を旋回させるための旋回フレーム２８がエレクタ装置２５よりも後方に配置されているため、エレクタ装置２５を本体リング２３に近づけることが可能となり、エレクタ装置２５によるセグメントの組立位置と掘進機先端までの距離を短縮することができる。これにより、急曲線シールド掘削機１の機長をさらに短くすることができ、前述したように急曲線シールド掘削機１の旋回性や姿勢制御の安定性をより高めることができる。
【００６２】
さらにまた、本実施の形態では、推進ジャッキ２４は伸縮ロッドが本体リング２３から後方に向けて突出可能となるように本体リング２３の内部に収容されているので、本体リング２３の直後にセグメント１０３を組み立てることが可能となる。これにより、急曲線シールド掘削機１の機長をさらに短くすることができ、前述したようにシールド掘削機の旋回性や姿勢制御の安定性をより高めることができる。
【００６３】
また、本実施の形態では、可動ソリ２１１を曲線外周１０ｂ側におけるトンネル径方向の外側に向けて突出させた状態で急曲線シールド掘削機１を掘進させることで、急曲線シールド掘削機１が曲線外周１０ｂ側に向かう力を押えて掘進中の姿勢を安定させることができ、姿勢制御がし易くなる。
【００６４】
上述のように本実施の形態による急曲線シールド掘削機、および円周トンネルの施工方法では、簡単な構造のシールド掘削機によりトンネル線形が急曲線となる円形断面の円周トンネル１０を施工でき、工期やコストの低減を図ることができるうえ、掘進時の姿勢制御を容易に行うことができる。また、本実施の形態では、補助工法を用いることなく、地盤の安定性を持続・保持した状態で施工できる効果を奏する。
【００６５】
以上、本発明による急曲線シールド掘削機、および円周トンネルの施工方法の実施の形態について説明したが、本発明は上記の実施の形態に限定されるものではなく、その趣旨を逸脱しない範囲で適宜変更可能である。
例えば、本実施の形態では、２本の円周トンネル１０Ａ、１０Ｂを設けてそれぞれを複数の連絡坑１０２で接続した構成の地中発進坑１５としているが、このような構成であることに限定されることはない。例えば円周トンネル１０は１本のみであってもかまわない。
【００６６】
また、本実施の形態の急曲線シールド掘削機１では、本体リング２３から後方に向けて延びる旋回軸部２７と、その旋回軸部２７の後端側に配置された旋回フレーム２８と、が設けられ、エレクタ装置２５が旋回フレーム２８よりも前方に位置する構成としているが、このような構成に制限されることはない。
【００６７】
さらに、推進ジャッキ２４についても、本実施の形態では伸縮ロッドが本体リング２３から後方に向けて突出可能であり、本体リング２３に収納されているが、これに限定されず、本体リング２３の後端から方向に向けて張り出すようにして推進ジャッキ２４が配置されていてもかまわない。
【００６８】
さらにまた、本実施の形態では、スキンプレート２０の前部には、曲線外周１０ｂにおいてトンネル径方向の外側に向けて突出可能な可動ソリ２１１が設けられているが、このようなソリ装置を省略することも可能であるし、また他の形状のソリ装置を適用してもよい。
【００６９】
また、急曲線シールド掘削機１の外径、スキンプレート２０の屈曲部の傾斜角、前後方向の長さ寸法等は、円周トンネル１０のトンネル線形、地中発進坑１５の大きさ、外殻シールド機１４の外径等の条件に応じて適宜、設定することができる。
さらに、円周トンネル１０から構成される地中発進部１５の位置、大きさ等は、本線トンネル１１やランプトンネル１２の外径、外殻シールド機１４の外径や仕様、地山などの条件に応じて適宜、設定することが可能である。
【００７０】
さらにまた、本実施の形態では大断面の道路トンネルを施工する場合の適用例であるが、上述したような大断面地下空間を有する様々な規模、用途、形態のトンネルを施工する場合全般に広く適用できるものであるし、施工対象のトンネルにおける大断面地下空間の規模や形態に応じて、また周辺環境等の諸条件を考慮して様々な設計的変更が可能である。
【００７１】
また、円周トンネル１０の発進部となる円周トンネル発進坑１０１の施工において、掘削前に施工する凍結工法などによる地盤改良部の範囲、形態やその施工方法、その他の各工程の細部についても、本発明の要旨を逸脱しない範囲で最適設計すれば良く、必要に応じて適宜の補助工法を採用しても勿論良い。
【００７２】
その他、本発明の趣旨を逸脱しない範囲で、上記した実施の形態における構成要素を周知の構成要素に置き換えることは適宜可能である。
【符号の説明】
【００７３】
１  急曲線シールド掘削機
２  シールド機本体
３  カッタヘッド
４  セグメント搬送供給装置
１０、１０Ａ、１０Ｂ  円周トンネル
１０ａ  曲線内周
１０ｂ  曲線外周
１１  本線トンネル（既設トンネル）
１２  ランプトンネル（既設トンネル）
１３  外殻トンネル
１４  外殻シールド機
１５  地中発進坑
１６  推進機
２０  スキンプレート（鋼殻）
２１  隔壁
２１１  可動ソリ（ソリ装置）
２３  本体リング
２４  推進ジャッキ
２５  エレクタ装置
２５１  把持装置
２５１ａ  把持部
２５２  エレクタ本体
２７  旋回軸部
２８  旋回フレーム
４０  セグメント搬送システム
４１  ラック
４２  ガイドレール
４３  台車本体
４４  ピニオン
４６  チェーンコンベヤ（移送コンベヤ）
４７  ローラーコンベヤ
４９  落下防止装置
１０１  円周トンネル発進坑
１０３  セグメント
Ｅ  円周方向
Ｆ  トンネル周方向
Ｌ  前後方向
Ｏ１  第１中心軸
Ｏ２  第２中心軸
Ｘ  トンネル軸方向
【図１】
2017137658.tif 000003
【図２】
2017137658.tif 000004
【図３】
2017137658.tif 000005
【図４】
2017137658.tif 000006
【図５】
2017137658.tif 000007
【図６】
2017137658.tif 000008
【図７】
2017137658.tif 000009
【図８】
2017137658.tif 000010
【図９】
2017137658.tif 000011
【図１０】
2017137658.tif 000012
【図１１】
2017137658.tif 000013